(57)【要約】【課題】洗濯物への糸屑等の付着を防いで洗濯物の仕上がり状態を良好にできるドラム式洗濯機を提供する。【解決手段】洗い運転およびすすぎ運転中、循環ポンプ３４が稼働して、水槽２とドラム３との間の洗濯水が、水槽２の排水口６９から水槽２外に出た後、排水ダクト２８、フィルタケース２９、循環ポンプ３４および循環ホース７を順次流れて、水槽２内に戻る。フィルタケース２９内にはリントフィルタが配置されている。【選択図】図１
2006262969.tif 000002
【特許請求の範囲】
【請求項１】
外箱と、
上記外箱内に配置された水槽と、
上記水槽内に回転自在に配置され、洗濯物を収容するドラムと、
上記ドラムに設けられ、上記水槽と上記ドラムとの間の空間と上記ドラム内の空間とを連通させる連通穴と、
上記水槽と上記ドラムとの間の水を上記ドラム内へ戻して循環させるための循環経路と、
上記循環経路に設けられて水を循環させる循環ポンプと、
上記循環経路に設けられた第１のフィルタと
を備えたことを特徴とするドラム式洗濯機。
【請求項２】
請求項１に記載のドラム式洗濯機において、
上記循環経路に設けられ、上記第１のフィルタの下流側に設けられた金属イオン発生ユニットを備えたことを特徴とするドラム式洗濯機。
【請求項３】
請求項１に記載のドラム式洗濯機において、
上記第１のフィルタの下流側で上記循環経路から分岐した排水経路を備えたことを特徴とするドラム式洗濯機。
【請求項４】
請求項２に記載のドラム式洗濯機において、
上記第１のフィルタを収容するフィルタケースを備え、
上記フィルタケースは上記金属イオン発生ユニットと一体化されていることを特徴とするドラム式洗濯機。
【請求項５】
請求項１に記載のドラム式洗濯機において、
上記第１のフィルタを収容するフィルタケースと、
上記フィルタケースに回動自在に取り付けられ、水平方向に略平行な回動軸を有するメンテナンスカバーと
を備えたことを特徴とするドラム式洗濯機。
【請求項６】
請求項１に記載のドラム式洗濯機において、
上記循環経路に設けられ、上記第１のフィルタを着脱可能に支持する第２のフィルタを備えたことを特徴とするドラム式洗濯機。
【請求項７】
請求項１に記載のドラム式洗濯機において、
上記第１のフィルタを収容するフィルタケースと、
上記水槽から離れるように上記フィルタケースに一体に設けられたエアトラップと、
上記エアトラップに一端が接続された導圧パイプと、
上記導圧パイプの他端に接続され、上記水槽内の水位を検知する水位センサと
を備えたことを特徴とするドラム式洗濯機。
【請求項８】
請求項７に記載のドラム式洗濯機において、
上記エアトラップの上面には、上記導圧パイプの一端を接続するための接続口が設けられ、
上記接続口は上記エアトラップの上面に対して略垂直に突出することを特徴とするドラム式洗濯機。
【発明の詳細な説明】
【技術分野】
【０００１】
本発明はドラム式洗濯機に関する。
【背景技術】
【０００２】
ドラム式洗濯機は、全自動洗濯機（いわゆる縦型洗濯機）に比べて、洗濯後の洗濯物の痛みを少なくできると共に、洗濯に使用する水の量を少なくできるという利点がある。
【０００３】
従来、ドラム式洗濯機としては、特開２００１−１１３０７９号公報（特許文献１）に開示されたものがある。このドラム式洗濯機は、所定量の水を水槽に溜めて、水槽内のドラムを回転させて、ドラム内の洗濯物の洗濯を行う。
【０００４】
ところで、上記全自動洗濯機としては、リントフィルタを水槽内に配置して、洗い運転およびすすぎ運転中に、水槽内の洗濯水から糸屑等をリントフィルタで除去するものがあるが、上記従来のドラム式洗濯機はそのようなリントフィルタを備えていない。これは、上記従来のドラム式洗濯機では、リントフィルタを水槽内に配置しても、水槽内に溜める水の量が少ないため、フィルタで水槽内の水から糸屑等を除去できないからである。
【０００５】
したがって、上記従来のドラム式洗濯機では、洗い運転およびすすぎ運転中に、水槽内の水から糸屑等を除去できない。その結果、洗い運転およびすすぎ運転後、洗濯物に糸屑等が付着しているという問題がある。
【特許文献１】特開２００１−１１３０７９号公報
【発明の開示】
【発明が解決しようとする課題】
【０００６】
そこで、本発明の課題は、洗濯物への糸屑等の付着を防いで洗濯物の仕上がり状態を良好にできるドラム式洗濯機を提供することにある。
【課題を解決するための手段】
【０００７】
上記課題を解決するため、本発明のドラム式洗濯機は、
外箱と、
上記外箱内に配置された水槽と、
上記水槽内に回転自在に配置され、洗濯物を収容するドラムと、
上記ドラムに設けられ、上記水槽と上記ドラムとの間の空間と上記ドラム内の空間とを連通させる連通穴と、
上記水槽と上記ドラムとの間の水を上記ドラム内へ戻して循環させるための循環経路と、
上記循環経路に設けられて水を循環させる循環ポンプと、
上記循環経路に設けられた第１のフィルタと
を備えたことを特徴としている。
【０００８】
上記構成のドラム式洗濯機によれば、上記水槽とドラムとの間の水を循環経路を介して循環させる。このとき、上記循環経路には第１のフィルタが設けられているから、循環経路を流れる水から夾雑物（例えば糸屑）を第１のフィルタで除去できる。したがって、上記洗濯物への夾雑物の付着を防いで洗濯物の仕上がり状態を良好にできる。
【０００９】
また、上記循環する水から夾雑物を除去できるので、水槽の例えば排水口に夾雑物が溜まるのを防ぐことができる。
【００１０】
一実施形態のドラム式洗濯機では、上記循環経路に設けられ、上記第１のフィルタの下流側に設けられた金属イオン発生ユニットを備える。
【００１１】
上記実施形態のドラム式洗濯機によれば、上記金属イオン発生ユニットが循環経路に設けられているので、循環経路内を流れる水に金属イオンを添加することができる。したがって、上記水槽とドラムとの間の水を循環経路を介して循環させながら、金属イオン発生ユニットを作動させることにより、金属イオンを洗濯物に効率よく均一に付着させることができる。
【００１２】
また、上記金属イオン発生ユニットが第１のフィルタの下流側に設けられているので、夾雑物が金属イオン発生ユニット内に侵入するのを防ぐことができる。したがって、上記夾雑物による金属イオン発生ユニットの故障を防ぐことができる。
【００１３】
一実施形態のドラム式洗濯機では、上記第１のフィルタの下流側で上記循環経路から分岐した排水経路を備える。
【００１４】
上記実施形態のドラム式洗濯機によれば、上記循環経路から分岐した排水経路が第１のフィルタの下流側に設けられているので、循環経路を流れて排水経路へ向かう水から夾雑物を第１のフィルタで除去できる。つまり、上記第１のフィルタが循環用フィルタおよび排水用フィルタとを兼ねる。
【００１５】
また、上記第１のフィルタが循環用フィルタおよび排水用フィルタとを兼ねるから、第１のフィルタとは別に排水用フィルタを設けなくてもよい。したがって、上記排水用フィルタおよびこれに関する例えば取付用ビスを用いない分、部品点数を少なくできると共に、製造コストを下げることができる。
【００１６】
また、上記排水用フィルタの分、メンテナンス箇所を少なくすることができると共に、省スペース化を図ることができる。つまり、部品集約によるメンテナンス性の向上の効果が得られる。
【００１７】
また、上記排水用フィルタを設置する工程がないから、組立作業性を向上させることができる。
【００１８】
一実施形態のドラム式洗濯機では、上記第１のフィルタを収容するフィルタケースを備え、上記フィルタケースは上記金属イオン発生ユニットと一体化されている。
【００１９】
上記実施形態のドラム式洗濯機によれば、上記フィルタケースが金属イオン発生ユニットと一体化されているから、組立作業性を向上させることができる。
【００２０】
また、上記フィルタケースが金属イオン発生ユニットと一体化されているから、フィルタケースと金属イオン発生ユニットとを接続する例えば接続用ホースが不用であり、接続ホース分、製造コストを下げることができる。
【００２１】
一実施形態のドラム式洗濯機では、
上記第１のフィルタを収容するフィルタケースと、
上記フィルタケースに回動自在に取り付けられ、水平方向に略平行な回動軸を有するメンテナンスカバーと
を備える。
【００２２】
上記実施形態のドラム式洗濯機によれば、上記メンテナンスカバーが水平方向に略平行な回動軸を有するから、メンテナンスカバーを回動させて、フィルタケースの下部から外箱外へ向かって延びるようにメンテナンスカバーを位置させることができる。したがって、上記フィルタケースを開けたときに、フィルタケースから溢れ出た水をメンテナンスカバーで外箱外へ案内できる。つまり、上記メンテナンスカバーは第１のフィルタの清掃・交換時の水受けとして利用できる。
【００２３】
一実施形態のドラム式洗濯機では、上記循環経路に設けられ、上記第１のフィルタを着脱可能に支持する第２のフィルタを備える。
【００２４】
上記実施形態のドラム式洗濯機によれば、上記第１のフィルタが第２のフィルタに対して着脱可能であるから、第２のフィルタから第１のフィルタを取り外して清掃することができる。したがって、上記第１のフィルタの清掃性を向上させることができる。
【００２５】
また、上記第１のフィルタの清掃後、第１のフィルタを循環経路へ戻し忘れたとしても、循環経路を流れる水から夾雑物を第２のフィルタで除去できる。
【００２６】
一実施形態のドラム式洗濯機では、
上記第１のフィルタを収容するフィルタケースと、
上記水槽から離れるように上記フィルタケースに一体に設けられたエアトラップと、
上記エアトラップに一端が接続された導圧パイプと、
上記導圧パイプの他端に接続され、上記水槽内の水位を検知する水位センサと
を備える。
【００２７】
上記実施形態のドラム式洗濯機によれば、上記エアトラップと水槽との距離が離れているから、水槽内の水位を水位センサで正確に検知することができる。つまり、上記水槽内の水位の検知誤差を低減することができる。
【００２８】
また、上記エアトラップがフィルタケースに一体に設けられているから、組立作業性を向上させることができる。
【００２９】
一実施形態のドラム式洗濯機では、
上記エアトラップの上面には、上記導圧パイプの一端を接続するための接続口が設けられ、
上記接続口は上記エアトラップの上面に対して略垂直に突出する。
【００３０】
上記実施形態のドラム式洗濯機によれば、上記接続口はエアトラップの上面に対して略垂直に突出するから、エアトラップが傾いても、エアトラップ内の空気溜まりに接続口を接触させることができる。したがって、上記水位センサは、エアトラップが傾いても、エアトラップ内の空気圧を導圧パイプを介して受けることができる。
【発明の効果】
【００３１】
本発明のドラム式洗濯機は、水槽とドラムとの間の水を循環経路を介して循環させ、第１のフィルタを循環経路に設けているから、循環経路を流れる水から夾雑物を第１のフィルタで除去できる。したがって、上記洗濯物への夾雑物の付着を防いで洗濯物の仕上がり状態を良好にできる。
【００３２】
また、上記循環する水から夾雑物を除去できるので、水槽の例えば排水口に夾雑物が溜まるのを防ぐことができる。
【発明を実施するための最良の形態】
【００３３】
以下、本発明のドラム式洗濯機を図示の実施の形態により詳細に説明する。
【００３４】
図１に、本発明の一実施の形態のドラム式洗濯乾燥機の概略断面図を示す。
【００３５】
上記ドラム式洗濯乾燥機は、外箱１と、この外箱１内に配置された有底円筒形状の水槽２と、この水槽２内に回転自在に配置され、洗濯物を収容する有底円筒形状のドラム３と、水槽２の後部に取り付けられ、ドラム３を回転駆動するドラムモータ４と、洗濯物を乾燥させるための乾燥システム５と、水槽２の後部を弾性支持する２本のダンパ６とを備えている。
【００３６】
上記外箱１の前面部には、外箱開口部１２が設けられている。この外箱開口部１２は、外箱１に回動自在に取り付けられたドア１３で開閉するようになっている。そして、上記外箱１の前面部の大部分は前パネル１４からなり、外箱１の下部は底台１５で構成されている。また、上記外箱１の上部には、洗剤、漂白剤及び柔軟剤を収容する洗剤ケース１６と、操作キーや表示部を有する操作部１７とが設けられている。この操作部１７の裏側（外箱１の内部側）には、ドラム式洗濯乾燥機の動作を制御する制御装置１８を配置している。
【００３７】
上記前パネル１４では、フィルタケース２９の前方に位置する部分にメンテナンス用開口部７７が設けられている。このメンテナンス用開口部７７には着脱可能にメンテナンスパネル７８が取り付けられている。
【００３８】
上記洗剤ケース１６には、水道水用給水口１９に供給された水道水が水道水用給水路２０を介して流入したり、風呂水用給水口２１に供給された風呂水が風呂水用給水路２２を介して流入したりする。上記水道水用給水路２０には給水弁２３が設けられている。また、上記風呂水用給水路２２には風呂水ポンプ２４が設けられている。
【００３９】
上記水槽２の前面部には水槽開口部２５が設けられている。この水槽開口部２５の開口縁には、ゴムや軟質樹脂等の弾性体から成るパッキン２６が固着されている。これにより、上記ドア１３を閉じると、ドア１３がパッキン２６に密着するから、水槽２内の液体が水槽２外へ漏れ出るのを防げる。また、上記水槽２は、水槽開口部２５が外箱開口部１２に対向するように横向きに配置されている。より詳しくは、上記水槽２の中心軸は水平方向に対して５°〜３０°の角度を成すように傾斜している。上記水槽２の上部には給水ダクト２７が接続されて、この給水ダクト２７から水槽２内へ洗濯水（洗剤等を含む水道水または単なる水道水）が給水される。一方、上記水槽２の下部には、水槽２内の洗濯液等を外部に排水するための排水口６９が設けられている。この排水口６９には排水ダクト２８の上端部が接続されている。
【００４０】
上記排水ダクト２８を流れた液体は、フィルタケース２９を通過した後、排水経路の一例としての排水ホース３０を流れて外箱１外に出るか、または、循環ホース７を流れて水槽２内に戻る。
【００４１】
上記循環ホース７の上端部には、水をドラム３内へ噴射する循環ノズル８が接続されている一方、循環ホース７の下端部には、フィルタケース２９の後方に位置する循環ポンプ３４に接続されている。なお、上記循環ホース７と排水ダクト２８とが循環経路の一例を構成している。
【００４２】
上記排水ホース３０のフィルタケース２９近傍の端部には、排水弁３３が取り付けられている。この排水弁３３は排水モータ３２によって開閉されるようになっている。
【００４３】
上記ドラム３の回転軸は水平方向に対して５°〜３０°の角度を成すように傾斜している。上記ドラム３の前面部には、外箱開口部１２及び水槽開口部２５に対向するドラム開口部３６が設けられている。このドラム開口部３６は水槽開口部２５よりも大きな径を有している。また、上記ドラム３の周壁全域には複数の小孔３７が設けられている。この小孔３７は、水槽２とドラム３との間の空間と、ドラム３内の空間との間で洗濯水や乾燥空気等を流通させるためのものである。また、上記ドラム３の内壁面には、半径方向内側に向かって突出するバッフル３８を設けている。このバッフル３８は、周方向に例えば１２０°間隔で３ヶ所に配置され、ドラム３の回転に伴って洗濯物の持上げと落下とを繰り返す働きをする。また、上記ドラム３のドラム開口部３６を外側から取り囲む液体バランサ３９を設けて、ドラム３の回転時に、洗濯物及び洗濯液等の偏りにより生じようとするアンバランスを、液体バランサ３９の内部における封入液体の移動によって打消すようにしている。なお、上記小孔３７が連通孔の一例である。
【００４４】
上記乾燥システム５はファンユニット４０および温風ユニット４２を有している。また、図示しないが、上記乾燥システム５は除湿用熱交換プレートも有している。
【００４５】
上記除湿用熱交換プレートは、水槽２の下部とドラム３の下部と間に配置されている。そして、上記除湿用熱交換プレートは乾燥システム５の稼働時つまり乾燥運転時に冷却水で冷却される。この冷却された除湿用熱交換プレートに、洗濯物から蒸発した水分を含む空気を接触させて、上記空気の水分を凝縮させ、上記空気の除湿を行うようになっている。
【００４６】
上記ファンユニット４０は、水槽２の後面下部に取り付けられている。また、上記ファンユニット４０は、上記除湿用熱交換プレートで除湿された空気が入るファンケース４３と、このファンケース４３内に収容された送風ファン４４と、この送風ファン４４を回転駆動するファンモータ４５とで構成されている。このファンモータ４５は送風ファン４４と直結し、ダイレクトドライブ構造によって送風ファン４４を回転駆動するようになっている。
【００４７】
上記温風ユニット４２は、乾燥用ヒータ４７と、この乾燥用ヒータ４７の大部分を収容する乾燥用ヒータケース４８と、乾燥用ヒータ４７で加熱された空気をドラム３内へ案内する送風ケース４９とから成っている。
【００４８】
上記乾燥用ヒータ４７は、除湿用熱交換プレートの側方に位置するように、水槽２の下部とドラム３の下部との間に設置されて、ファンユニット４０の吹き出し空気を加熱する。つまり、上記除湿用熱交換プレートで除湿された空気が、ファンユニット４０によって乾燥用ヒータ４７に送られ、この乾燥用ヒータ４７で加熱される。
【００４９】
上記送風ケース４９の吹出口（図示せず）は水槽開口部２５の下縁とドラム開口部３６の下縁との間に位置している。これにより、上記送風ケース４９で案内された空気は吹出口からドラム３内へ向かって吹き出す。
【００５０】
図２Ａに、上記フィルタケース２９およびこの周辺部を上方から見た概略図を示す。なお、図２Ａでは、排水ダクト２８や、後述するメンテナンスカバー６２、導圧パイプ６８および水位センサ７１の図示は省略している。
【００５１】
上記フィルタケース２９にはエアトラップ６１および循環ポンプ３４が一体に設けられている。また、上記フィルタケース２９内の空間はエアトラップ６１内の空間と連通しており、フィルタケース２９内に入った水の一部がエアトラップ６１内に入るようになっている。
【００５２】
上記循環ポンプ３４は、フィルタケース２９の後方に位置するポンプ室７２と、このポンプ室７２内の液体を循環ホース７へ送るポンプモータ７３とを有している。上記ポンプ室７２内の空間は接続ホース６３を介してフィルタケース２９内の空間と連通している。
【００５３】
図２Ｂに、上記フィルタケース２９およびこの周辺部を側方から見た概略図を示す。なお、上記接続ホース６３は断面で示している。
【００５４】
上記フィルタケース２９の前部（前パネル１４側の部分）には、メンテナンスカバー６２が回動自在に取り付けられている。このメンテナンスカバー６２の回動軸は水平方向に略平行であり、メンテナンスカバー６２がフィルタケース２９の下部を中心に上下方向に回動する。
【００５５】
上記ポンプ室７２には吸込口７４および吐出口７５が設けられており、吸込口７４には接続ホース６３接続ホース６３の上端部が接続され、吐出口７４には循環ホース７の下端部が接続されている。
【００５６】
図２Ｃに、上記フィルタケース２９およびこの周辺部を前方から見た概略図を示す。なお、上記フィルタケース２９およびこの周辺部の一部は断面で示している。
【００５７】
上記フィルタケース２９は、流入口６４、第１の流出口６５および第２の流出口６６を有している。上記流入口６４には排水ダクト２８の下端部が接続されている。また、上記第１の流出口６５には接続ホース６３の下端部が接続されて、第１の流出口６５から吐出された液体が、接続ホース６３、ポンプ室７２および循環ホース７を順次流れるようになっている（図２Ｂ参照）。また、上記第２の流出口６６には排水ホース３０の一方の端部が接続されて、第１の流出口６５から吐出された液体が、排水ホース３０を流れて外箱１外へ出るようになっている。
【００５８】
上記エアトラップ６１は、第１の流出口６５の上端と水槽２の下端との高低差に略等しい距離離れている。つまり、上記エアトラップ６１の上面と水槽２の下端との間の距離は、第１の流出口６５の上端と水槽２の下端との間の距離に略等しい。より詳しくは、上記エアトラップ６１の上面は、水槽２の下端よりも下に位置する一方、エアトラップ６１の下面は、第１，第２の流出口６５，６６の上端よりも上に位置している。また、上記エアトラップ６１の上面にはこの上面に対して略垂直な円筒形状の接続口７０が設けられている。この接続口７０には導圧パイプ６８を介して水位センサ７１が接続されている。
【００５９】
上記水位センサ２３は、コイルおよび磁性体を内部に有し、エアトラップ６１内の空気圧の変化に応じて磁性体がコイル内を移動する。上記水位センサ２３は上記コイル内の上記磁性体の位置により生じるコイルのインダクタンスを発振周波数として検出し、その発振周波数に基づいて水槽４内の水位を検知する。
【００６０】
図３に、上記フィルタケース２９およびその周辺部の概略断面図を示す。
【００６１】
上記フィルタケース２９内には、図２Ｃ，図３に示すように、樹脂製又は金属製のリントフィルタ３１と、このリントフィルタ３１を着脱可能に支持する樹脂製の支持枠７６とが収容されている。上記支持枠７６の目はリントフィルタ３１の目より粗くなっている。また、上記支持枠７６は、図４に示すように、リントフィルタ３１と共にフィルタケース２９から取り出すことができる。なお、上記リントフィルタ３１が第１のフィルタの一例であり、支持枠７６が第２のフィルタの一例である。
【００６２】
上記構成のドラム式洗濯乾燥機によれば、洗い運転およびすすぎ運転中、排水弁３３が閉じたままの状態で、循環ポンプ３４が稼働する。これにより、上記水槽２とドラム３との間の洗濯水が、図１に示すように、水槽２の排水口６９から水槽２外に出た後、排水ダクト２８、フィルタケース２９、循環ポンプ３４および循環ホース７を順次流れる。そして、上記循環ホース７の上端部に接続された循環ノズル８から洗濯水がドラム３内へ向かって噴出する。これにより、上記洗濯水がドラム４内の洗濯物に降り掛かるので、水槽２内に溜める洗濯水の量が少なくても、洗浄効果を高めることができると共に、すすぎ効果を高めることができる。
【００６３】
また、上記水槽２とドラム３との間の洗濯水がフィルタケース２９を介して循環するので、洗濯水に混ざった糸屑等の夾雑物がリントフィルタ３１で捕獲される。したがって、上記洗濯物への夾雑物の付着を防いで洗濯物の仕上がり状態を良好にできる。
【００６４】
また、上記洗濯水から夾雑物を除去できるので、水槽２の排水口６９に夾雑物が溜まるのを防ぐことができる。
【００６５】
また、上記洗濯水を外箱１外に排水する場合も、洗濯水がフィルタケース２９内のリントフィルタ３１を通過する。つまり、上記リントフィルタ３１は循環フィルタと排水フィルタとを兼ねる。したがって、上記リントフィルタ３１とは別に排水用フィルタを設けなくてもよく、排水用フィルタおよびこれに関する例えば取付用ビスを用いない分、部品点数を少なくできると共に、製造コストを下げることができる。
【００６６】
また、上記排水用フィルタの分、メンテナンス箇所を少なくすることができると共に、省スペース化を図ることができる。つまり、部品集約によるメンテナンス性の向上の効果が得られる。
【００６７】
また、上記排水用フィルタを設置する工程がいらないから、組立作業性を向上させることができる。
【００６８】
上記リントフィルタ３１を例えば清掃する場合、メンテナンス用開口部７７からメンテナンスパネル７８を取り外して、メンテナンスカバー６２を二点鎖線で示す位置に回動させる。そして、図４に示すように、支持枠７６をリントフィルタ３１と共にフィルタケース２９から取り出して、支持枠７６からリントフィルタ３１を分離して清掃する。したがって、上記支持枠７６の清掃を容易に行うことができる。
【００６９】
また、上記支持枠７６をリントフィルタ３１と共にフィルタケース２９から取り出す時、メンテナンスカバー６２が図１の二点鎖線で示す位置にあるから、フィルタケース２９から溢れ出た水がメンテナンスカバー６２で外箱１外へ案内される。したがって。上記外箱１から突出したメンテナンスカバー６２の端部下に例えば洗面器を置いておけば、外箱１の前の床が水浸しになるのを防ぐことができる。
【００７０】
また、上記リントフィルタ３１の清掃後、リントフィルタ３１を支持枠７６に搭載し忘れて、支持枠７６のみをフィルタケース２９に戻したとしても、例えばコインや鍵は支持枠７６で捕獲できる。したがって、上記コインや鍵が排水弁３３に入るのを防げるので、排水弁３３の故障を防ぐことができる。
【００７１】
また、上記支持枠７６は樹脂で構成されているから、リントフィルタ３１に比べて破損し難くなっている。
【００７２】
洗い運転およびすすぎ運転中は、水位センサ７１がエアトラップ６１内の空気圧に基づいて水槽２内の水位を検知する。このエアトラップ６１が水槽２から離れているので、水位センサ７１は水槽２内の水位を水位センサで正確に検知することができる。つまり、上記水槽２内の水位の検知誤差を低減することができる。
【００７３】
また、上記エアトラップ６１がフィルタケース２９に一体に設けられているから、組立作業性を向上させることができる。
【００７４】
また、上記エアトラップ６１の接続口７０はエアトラップ６１の上面に対して略垂直に突出するから、エアトラップ６１が傾いても、エアトラップ６１内の空気溜まりに接続口７０を接触させることができる。したがって、上記水位センサ７１は、エアトラップ６１が傾いても、エアトラップ６１内の空気圧を導圧パイプ６８を介して正確に検知することができる。
【００７５】
上記実施の形態では、エアトラップ６１および循環ポンプ３４をフィルタケース２９に一体に設けていたが、図５〜図８に示すように、エアトラップ６１、循環ポンプ３４および金属イオン発生ユニットの一例としての銀イオン発生ユニット７９をフィルタケース２９に一体に設けてもよい。
【００７６】
上記銀イオン発生ユニット７９は、図６，図７に示すように、銀製の金属プレート８２を内部に有して、洗濯物に付着させる銀イオンを発生する。また、上記銀イオン発生ユニット７９の流入口８０はフィルタケース２９の第１の流出口６５に接続され、銀イオン発生ユニット７９の流出口８１は循環ポンプ３４のポンプ室７２に接続されている。これにより、上記銀イオン発生ユニット７９は、第１の流出口６５からポンプ室７２へ向かう洗濯水に銀イオンを付加することができる。つまり、上記銀イオン発生ユニット７９は、循環する洗濯水に銀イオンを添加することができる。その結果、上記銀イオンを洗濯物に効率よく均一に付着させることができる。
【００７７】
また、上記銀イオン発生ユニット７９がリントフィルタ３１の下流側に設けられているから、夾雑物が銀イオン発生ユニット７９内に侵入するのを防ぐことができる。したがって、上記夾雑物による銀イオン発生ユニット７９の故障を防ぐことができる。
【００７８】
また、上記銀イオン発生ユニット７９がフィルタケース２９と一体化されているから、組立作業性を向上させることができると共に、フィルタケース２９と銀イオン発生ユニット７９とを接続する例えば接続用ホースがいらず、接続ホース分、製造コストを下げることができる。
【００７９】
なお、図５〜図８において、図２Ａ〜図２Ｃに示した構成部と同様の構成部には、図２Ａ〜図２Ｃにおける構成部と同一参照番号を付している。また、図７および図８では構成部の一部を断面で示している。
【００８０】
また、上記実施の形態では、エアトラップ６１および循環ポンプ３４をフィルタケース２９に一体に設けていたが、エアトラップ６１、循環ポンプ３４および金属イオン発生ユニットの一例としての銅イオン発生ユニットをフィルタケース２９に一体に設けてもよい。この銅イオン発生ユニットは、銅製の金属プレート８２を有する以外は、銀イオン発生ユニット７９と同様の構成を有する。
【００８１】
また、上記実施の形態では、エアトラップ６１および循環ポンプ３４をフィルタケース２９に一体に設けていたが、エアトラップ６１、循環ポンプ３４および金属イオン発生ユニットの一例としての銀・銅イオン発生ユニットをフィルタケース２９に一体に設けてもよい。この銅イオン発生ユニットは、銅製の金属プレートと銀製の金属プレートとを有している以外は、銀イオン発生ユニット７９と同様の構成を有する。
【００８２】
また、上記実施の形態では、リントフィルタ３１の目より粗い目の支持枠７６を用いていたが、リントフィルタ３１の目より細かい目の樹脂製のメッシュフィルタを第２のフィルタの一例として用いてもよい。つまり、上記支持枠７６を第２のフィルタの一例としてフィルタケース２９内に設置する代わりに、リントフィルタ３１の目より細かい目の樹脂製のメッシュフィルタを第２のフィルタの一例としてフィルタケース２９内に設置してもよい。
【００８３】
また、上記実施の形態では、風呂水ポンプ２４を風呂水用給水路２２に設けていたが、風呂水ポンプ２４の代わりに給水弁を設けてもよい。
【００８４】
本発明は、乾燥機能を有するドラム式洗濯乾燥機のみならず、乾燥機能を有さないドラム式洗濯機にも適用できる。
【図面の簡単な説明】
【００８５】
【図１】図１は本発明の一実施の形態のドラム式洗濯乾燥機の概略断面図である。
【図２Ａ】図２Ａは上記ドラム式洗濯乾燥機のフィルタケースおよびこの周辺部を上方から見た概略図である。
【図２Ｂ】図２Ｂは上記フィルタケースおよびこの周辺部を側方から見た概略図である。
【図２Ｃ】図２Ｃは上記フィルタケースおよびこの周辺部を前方から見た概略図である。
【図３】図３は上記フィルタケースおよびその周辺部の概略断面図である。
【図４】図４は上記フィルタケースからの支持枠およびリントフィルタの取り出しを説明するための概略図である。
【図５】図５は上記フィルタケースの変形例およびその周辺部を側方から見た概略図である。
【図６】図６は上記フィルタケースの変形例およびその周辺部を上方から見た概略図である。
【図７】図７は上記フィルタケースの変形例およびその周辺部を側方から見た概略図である。
【図８】図８は上記フィルタケースの変形例およびその周辺部を上方から見た概略図である。
【符号の説明】
【００８６】
１  外箱
２  水槽
３  ドラム
７  循環ホース
２８  排水ダクト
３１  リントフィルタ
３４  循環ポンプ
３７  小孔
６２  メンテナンスカバー
２９  フィルタケース
３０  排水ホース
６２  メンテナンスカバー
７６  支持枠
７９  銀イオン発生ユニット
【図１】
2006262969.tif 000003
【図２Ａ】
2006262969.tif 000004
【図２Ｂ】
2006262969.tif 000005
【図２Ｃ】
2006262969.tif 000006
【図３】
2006262969.tif 000007
【図４】
2006262969.tif 000008
【図５】
2006262969.tif 000009
【図６】
2006262969.tif 000010
【図７】
2006262969.tif 000011
【図８】
2006262969.tif 000012